(57)【要約】      （修正有）【課題】介助者に対して一人で、かつ、片手で持ち上げることが可能で介助者には腰痛などの障害を引き起こさない構造で、また被介助者の移動や歩行に対して体にやさしく負担にならない介助ができる歩行介助ホルダーパンツを提供する。【解決手段】歩行介助ホルダーパンツ１６であって、オムツ型形状パンツで腰椎の位置に手を引っかけて持ち上げるための持ち手８を有することを特徴とする歩行介助ホルダーパンツであり、歩行介助ホルダーパンツの腰帯に沿うように補強ベルトと、腰帯から垂直に前後股ぐりに位置する支柱ベルト７から構成されるＴ字体を呈した補強ベルトを設けたことを特徴とする。【選択図】図１
0003190206.tif 000002
【実用新案登録請求の範囲】
【請求項１】
歩行介助ホルダーパンツであって、オムツ型形状パンツで腰椎の位置に手を引っかけて持ち上げるための持ち手を有することを特徴とする歩行介助ホルダーパンツ。
【請求項２】
Ｔ字体を呈した補強ベルトを設けたことを特徴とする請求項1記載の歩行介助ホルダーパンツ。
【考案の詳細な説明】
【技術分野】
【０００１】
本考案は高齢や障害によって自力で起立・歩行できない被介助者が腰に装着するオムツ型歩行介助ホルダーパンツに関するものである。
【背景技術】
【０００２】
一般に人間の動きは背骨と密接に関係していて、その中でも５つある腰椎の動きは運動と密接に関連している。５つある腰椎（背骨の腰部分）のひとつひとつが運動に影響を与えるのである。腰椎の１番目は上下運動、２番目が左右側掘運動、３番目が捻転運動、４番目が股関節の動作（しゃがむ）５番目が前後運動となり、それぞれの腰椎が人間の動きの役割分担をしていると云われている。
【０００３】
介護衣料の各種特許文献において、先行文献１にはＸ型のベルトを具備した介護パンツが開示されている。しかしながら、このようなパンツではＸ型であるため4ヶ所の持ち手に二人で被介助者を持ち上げる構造のため、常に二人の介助を必要とする問題点がり、また発明の効果によると、Ｘ字状に配置した紐体にかかる応力の分散する事が良いように記載されているが、この手法では被介助者の移動のとき、ベッドや車椅子から離れたとたんに、前後左右しゃがみ捻転と予測不可能な動きをするので重心は安定せず、複数の持ち手があっても応力の分散はバランスを崩しやすく非常に危険である。従来介助者はその動きを止め、まっすぐに立たせようとする為、衣類や体、特に腕・手首を鷲掴みにして体勢を整えようとするが、脳梗塞を発症して歩行困難になった被介助者の場合は、処方されている薬が血を固まりにくくし血液の流れを良くする為、掴まれた腕や手首にあざを生じ易く、被介助者は痛みや不安により精神的にも肉体的にも負担が大きく、両者の安全面でも劣るという問題点があった。
【０００４】
また被介助者が自力で排泄を望む場合、介助者が便座に座らせたり、便座から引き上げたりする事で目的が達成できるのだが、介助者は被介助者の両脇に腕を通して両腕でかかえ中腰で操作するため、非常に辛い姿勢にありながら、思った位置にならないため腰に負担がかかり、腰痛などを引き起こすという問題点があった。
【０００５】
車での移動の際、座席からの乗り降りが非常に大変で、介助者はかがんだ状態で被介助者を抱えながら座席に尻を下ろさせたり、持ち上げたりする為、腰や腕・肩に負担がかかり腰痛や体調不良を起こしやすい動作に問題点があった。また高齢者やバイアスピリンなどの薬を飲んでいる被介助者は血管が非常にもろくなっていて、座席に座った時の衝撃で膀胱の血管が切れて夥しい血尿を発症することも珍しくない。
【先行技術文献】
【特許文献】
【０００６】
【特許文献１】特開２０１０−８２４８３号公報
【考案の概要】
【考案が解決しようとする課題】
【０００７】
本実用新案は、介助者に対して一人で、かつ、片手で持ち上げることが可能で介助者には腰痛などの障害を引き起こさない歩行介助ホルダーパンツを提供することにある。また被介助者の移動や歩行に対して体にやさしく負担にならない介助ができる歩行介助ホルダーパンツを提供することにある。
【課題を解決するための手段】
【０００８】
本考案は      
（１）歩行介助パンツであって、オムツ型形状パンツで腰椎の位置に手を引っかけて持ち上げるための持ち手を有することを特徴とする歩行介助ホルダーパンツ。
（２）Ｔ字体を呈した補強ベルトを設けたことを特徴とする（１）記載の歩行介助ホルダーパンツである。
【０００９】
本考案の原型であるオムツ型形状パンツとは、被介助者のあらゆる状態に対応できる事を前提に赤ん坊のおむつカバーのようにパンツの後身頃の両ウェストから伸びる外ベルト１５が、股で繋がる前身頃の両ウェストに接着するものである。その型布である前止めオムツ型形状裁断布体２と腰帯１と補強ベルト６と接続補助具１０ａｂ・１１ａｂから成るオムツ型形状歩行介助ホルダーパンツ１６である。
図２において、腰帯1は厚地の丈夫で伸縮しない綿などを使用し、腰ベルト９の土台になるもので袋帯状に形成する。前記布体２は、腰帯１同様の生地を使用し被介助者の腹部４、股５、尻部３、前後ウェスト部１２ａｂを覆うオムツ型形状裁断布体２で、その布体２表側後ウェストのガイド線Ｂ沿いと腰帯１横長上方を縁縫いで繋いで本体１４が構成される。
前記補強ベルト６は厚地のナイロン製帯状紐体を使用し、配置する場所に応じてそれぞれ支柱ベルト７と腰ベルト９と持ち手８と称し、本体１４と補強ベルト６との接着は、縫製により一体に縫い合わされるものとする。
図３で補強ベルト６の配置構成については、最初に支柱ベルト７は本体１４裏側の前ウェストガイド線Ａ中央から股５を通って後ウェストガイド線Ｂ中央まで直線に配置する。引続き後ウェストガイド線Ｂ中央から持ち手８の構成段階に入るため、支柱ベルト７に配置した補強ベルト６を延長させ、立ち上げてある状態の腰帯１を包み込むように表裏両面を通り、更に布体２に至って腰帯１の幅の長さの所まで下げて配置させる。そして立ち上げ状態の腰帯１を表側に倒して元に戻し、腰ベルト９を配置する事によって持ち手８を形成する。
図４でその腰ベルト９の配置は本体１４の表に設けた腰帯１の裏側上に補強ベルト６を配置し形成する。それによって支柱ベルト７と腰ベルト９が後ウェストガイド線Ｂ中央に位置する腰椎部１３を接点にT字体を形成し、その接点である腰椎部１３に持ち手８図５が設けられている。図６でその持ち手８の下部から手を逆手に入れて吊り上げるように支えることにより、被介助者をスムーズに起立させたり、歩行させたりすることができる。
装着時の接続補助具として、腹部４の表側左右脇腹に釣状ワンタッチテープ１０ａと腰ベルト９の裏側両端にパイル状ワンタッチテープ１０ｂを設け、さらに腰ベルト９の端にある外ベルト１５表側にはサイドリリースタイプの衣料用バックル１１のソケットａを左側に、プラグｂを右側にそれぞれ設ける。  
本考案は、以上の構成よりなる歩行介助ホルダーパンツ１６である。
【考案の効果】
【００１０】
本考案の歩行介助ホルダーパンツは、歩行介助補助具であって、腰回りと前後股ぐりの所に伸縮しない厚地のナイロン製帯状紐体よりなる補強ベルトを貼り付けることによってＴ字体が形成され、その接点に当たる所の腰椎の位置に持ち手を設けてなるものとしたために、介助者は被介助者の起立・移動のときでも、腰をかがめて被介助者を抱きかかえることがないため腰への負担や転倒などの事態は生ぜず、片手で落ち着いて安全に誘導でき、介護の士気を下げるような事態は生じない。
【００１１】
又、被介助者が予測不可能な動きをした際に、持ち手が腰椎の位置に一箇所に設置されているため、介助者は被介助者の服や体を無作為に掴むことなく姿勢を整えるための操作が片手で出来るので、歩行介助時に必要以上に神経を注ぐ必要がないため、楽しい会話もできリハビリの向上に利するところがある。
【００１２】
製品のシンプルおよびコンパクトさにより障害度に応じてデザインをアレンジする事が出来、また装着脱時の操作が簡単なため、被介助者自身の着脱が可能になり、介助作業の効率が上がる。介護パンツはおむつのイメージが強いが、腰を吊るして行動を起こす機能からするとむしろホルダー感覚に近く、腕の骨折時に使う吊るしホルダー同様、アウターに装着することに何ら差支えない。
【図面の簡単な説明】
【００１３】
【図１】本考案の斜視図
【図２】本考案の表正面裁断図
【図３】本考案の表正面裁断図
【図４】本考案の表正面裁断図
【図５】本考案の持ち手の中央切断端図面
【図６】本考案の後正面図
【図７】写真１
【考案を実施するための形態】
【実施例１】
【００１４】
以下、本考案に係る歩行介助ホルダーパンツ１６を実施するための形態について、図面と写真と共に説明する。尚、前止めオムツ型形状裁断布体２の形はＭサイズの紙おむつを装着した母を採寸してなり、ウェスト９０ｃｍ・腰回り９６ｃｍ・股上２０ｃｍ・前後股ぐり６３ｃｍとした。そしておむつ型パンツを形成し、その腰回りの腰ベルト９と前後股ぐりの支柱ベルト７の所に伸縮しない厚地のナイロン製帯状紐体よりなる幅３．７ｃｍの補強ベルト６を縫合するものである。但し本来のウェストの採寸では持ち手８が腰椎部１３から多少離れて、機能が半減してしまうためへそを基準に採寸した。
図２は最初、腰ベルト９の土台になる腰帯１は布体２の表側後ウェストガイド線Ｂ沿いに接続するもので、長さは後ウェストガイド線Ｂの長さ４８ｃｍと装着時に腹部４の両脇に巻き付ける左右外ベルト１５の片側１６ｃｍ×２を加えた長さ８０ｃｍで、生地は布体２と同じ厚地の丈夫で伸縮しない綿を用い、幅は指先から第２関節の長さを目安に６ｃｍとし中表に袋帯状に縫って裏返し、腰帯１の横長中央を布体２の表側後ウェストガイド線Ｂの中央に合わせ左右の外ベルト１５が各１６ｃｍ余るのを確認して表側後ウェストガイド線Ｂ沿いに縁縫いし、布体２と一体化させ本体１４を形成する。
【実施例２】
【００１５】
そして図３で布体２に配置する補強ベルト６は、最初に前後股ぐりに位置する支柱ベルト７と称する補強ベルト６で、腰帯１を立ち上げた状態の本体１４裏側に被介助者の動きの伝達と体重を支えるため３．７ｃｍの補強ベルト６を２本並べて、前ウェストガイド線Ａ中央から股５を通り後ウェストガイド線Ｂ中央まで一直線に配置し、この長さを洋裁では前後股ぐり寸法と言う。その時股擦れ予防に股５に位置する補強ベルト６の両脇に少々の抉りを入れておき、ここまでを支柱ベルト７とする。そのまま補強ベルト６を切断しないのが重要で、立ち上げてある腰帯１を挟んでＵターンするように表６ｃｍ裏６ｃｍに配置し、２本の補強ベルト６をしっかり固定させるためそれぞれにマス縫いを施す。まだ補強ベルト６は切断せず先の布体２表に及んで６ｃｍ下がった所で切断し、ほつれ防止に切口をかがり縫いする。そして補強ベルト６が重なっている布体２とその裏にある支柱ベルト７を腰帯１の処理と同様にマス縫いを施す。
【実施例３】
【００１６】
図４は腰帯１を下すことで持ち手８の土台を形成する。次に下した腰帯１の裏側で布体２を挟んだ所と左右の外ベルト１５に補強ベルト６を配置するのだが、先に腰帯１の上部と縫合し、腰ベルト９を設けるが、下部は表腰椎部１３に親指を除く４指が入る持ち手８を完成するのに、４指の入口分８ｃｍを確保するため支柱ベルト７と重なる部分の腰ベルト９の部分を除いて縫合するのだが、要するに持ち手８部分を除く左右両端をマス縫いすることに注意する。これで本体１４に補強ベルト６を配置した支柱ベルト７と腰ベルト９のＴ字体が形成され、更に並行して接点である腰椎に持ち手８図５が設けられる。
被介助者に歩行介助ホルダーパンツを装着させる為の続補助具としてワンタッチテープ１０ａｂと衣料用バックル１１ａｂを使用し、最初に被介助者の腰に巻き付ける左右外ベルト１５を腹部４に密着させるため、左右外ベルト１５の裏側に縦５ｃｍ横１５ｃｍのワンタッチテープ１０ａで、体に面する為パイル状の柔らかい方を縫合し、尖ったワンタッチテープ１０ｂも同様のサイズで前ウェストガイド線Ａ沿いの中央から左右に５ｃｍ離して縫合する。次に左外ベルト１５の表端に衣料用バックルのサイドリリースタイプ・ソケット１１ａを縫着し、右外ベルト１５の表端には同様のプラグ１１ｂを縫合する。サイドリリースタイプのバックルはアジャスター部分の中軸が動く事で、テープを通し易く、且つしっかりと留まる。
【実施例４】
【００１７】
これを使用するときは、被介助者の移動・外出やリハビリの時で履きなれて動きやすいズボンの上から装着するが、臥床時での装着には開いた歩行介助ホルダーパンツの尻部３を被介助者の尻に敷き、腹部４を股５から通して被介助者の腹に当て、ワンタッチテープ１０ｂが施された左右外ベルト１５を腹に回して、腹部４の表左右両端に施されたワンタッチテープ１０ａに貼り合わせ、次に左右外ベルト１５の両端に配置した衣料用バックルのサイドリリース１１ａｂで固定する。また起床時の装着には、先に左右の外ベルト１５の表に施された衣料用バックルのサイドリリース１１ａｂで仮留めて、表側左右にワンタッチテープ１０ａが配置された腹部４を股５から通して繋いだ外ベルト１５をくぐらせ、ワンタッチテープ１０と１１を張り合わせ、腰回りに合わせて再度衣料用バックルのサイドリリース１１ａｂを止め直し固定するというもので、装着操作は容易で中・軽度の障害者であれば自分でも装着できる。そして、歩行介助ホルダーパンツを装着した被介助者の起床や移動に対して、介助者の利き手を逆手にして親指を除く４指を歩行介助ホルダーパンツ１６の持ち手８を吊り上げる様に掴んでしっかり握る。移動中は常に持ち手８を吊り上げて支柱ベルト７を張らせておく事で、被介助者の動きが伝わり早い対応が出来る。反対の手は被介助者の手を取り安心を与え方向を決める。また起床時の場合は被介助者を抱き抱える事無く利き手、軸足に力を集中させる事でスムーズに上体を起こせることを特徴とする歩行介助ホルダーパンツ１６とした。
【実施例５】
【００１８】
図６は、歩行介助ホルダーパンツ１６の背面腰椎部に設けた持ち手８を、介助者の手が掴む様子である。また図７においては、被介助者である老人に歩行介助ホルダーパンツ１６を装着した姿で介助されながらの立ち上がりと移動の姿である。常に介助者の利き手は持ち手８を掴んでおり、足は軸足に重心を置いてバランスをとっているので安定した介助を得ることが出来た。
【産業上の利用可能性】
【００１９】
本考案は歩行介助ホルダーパンツとして介護やリハビリに用いることができる。
【符号の説明】
【００２０】
１    腰帯
２    オムツ型形状裁断布体
３    尻部
４    腹部
５    股
６    補強ベルト
７    支柱ベルト
８    持ち手
９    腰ベルト
１０ａ  ワンタッチテープ（釣状）
１０ｂ  ワンタッチテープ（パイル状）
１１ａ  衣料用バックル（サイドリリース・ソケット）
１１ｂ  衣料用バックル（サイドリリース・プラグ）  
１２ａ  前ウェスト部
１２ｂ  後ウェスト部
１３    腰椎部  
１４ａ  表本体
１４ｂ  表本体
１５    外ベルト
Ａ    前ウェストガイド線
Ｂ    後ウェストガイド線
１６    歩行介助ホルダーパンツ
１７    手
【図１】
0003190206.tif 000003
【図２】
0003190206.tif 000004
【図３】
0003190206.tif 000005
【図４】
0003190206.tif 000006
【図５】
0003190206.tif 000007
【図６】
0003190206.tif 000008
【図７】
0003190206.tif 000009
【手続補正書】
【提出日】平成26年2月14日(2014.2.14)
【手続補正１】
【補正対象書類名】実用新案登録請求の範囲
【補正対象項目名】請求項２
【補正方法】変更
【補正の内容】
【請求項２】
歩行介助ホルダーパンツの腰帯１に沿うように補強ベルト６と、腰帯１から垂直に前後股ぐりに位置する支柱ベルト７から構成されるＴ字体を呈した補強ベルトを設けることを特徴とする請求項１記載の歩行介助ホルダーパンツ。